(57)【要約】【課題】  安価なかつ安全性の高い材料を用いて、ＨＤＬ以外のリポ蛋白の反応を阻害し、短時間にコレステロール濃度を測定するための試薬、及びそれを用いた測定方法を提供する。【解決手段】  コレステロールを測定する酵素、発色剤、界面活性剤及びリン酸化糖化合物を含有する高比重リポ蛋白中コレステロールの濃度測定用試薬、及びそれを用いた高比重リポ蛋白中コレステロールの濃度測定方法【選択図】  なし【特許請求の範囲】
【請求項１】
水不透過性透明支持体上に少なくとも一層の水浸透性層、及び液体を水平方向に均一に展開する展開層がこの順に設けられた乾式分析素子において、前記水浸透性層又は展開層中に、コレステロール測定用酵素、及びリン酸化糖化合物が存在することを特徴とする乾式分析素子。
【請求項２】
前記リン酸化糖化合物が、ペントース骨格の単糖類がリン酸化された化合物である請求項１に記載の乾式分析素子。
【請求項３】
前記リン酸化糖化合物が、ペントース骨格の単糖類であり、リン酸残基及び、プリン又はピリミジン骨格を有する塩基性官能基を含む化合物である請求項１に記載の乾式分析素子。
【請求項４】
前記リン酸化糖化合物が、リン酸残基と、プリン又はピリミジン骨格を有する塩基性官能基を有するユニットが重合した多糖化合物である請求項１に記載の乾式分析素子。
【請求項５】
前記リン酸化糖化合物が、デオキシリボ核酸である請求項１に記載の乾式分析素子。
【請求項６】
前記リン酸化糖化合物の使用量が０．０１〜１ｇ／ｍ2である請求項１〜５のいずれかに記載の乾式分析素子。
【請求項７】
前記酵素試薬が、コレステロールエステラーゼ及びコレステロールオキシダーゼを含む請求項１〜６のいずれかに記載の乾式分析素子。
【請求項８】
前記酵素試薬が、コレステロールエステラーゼ及びコレステロールデヒドロキナーゼを含む請求項１〜６のいずれかに記載の乾式分析素子。
【請求項９】
ＨＤＬを可溶化する界面活性剤を更に含む請求項１〜８のいずれかに記載の乾式分析素子。
【請求項１０】
前記ＨＤＬを可溶化する界面活性剤がノニオン系界面活性剤である請求項９に記載の乾式分析素子。
【請求項１１】
前記ノニオン系界面活性剤がポリオキシエチレンアルキルエーテル誘導体である請求項１０に記載の乾式分析素子。
【発明の詳細な説明】
【技術分野】
【０００１】
本発明は、検体中の高比重リポ蛋白中コレステロール（ＨＤＬ−Ｃ）の濃度測定用乾式分析素子に関する。
【背景技術】
【０００２】
ＨＤＬ−Ｃは、冠動脈硬化症をはじめとする各種動脈硬化症の危険予防因子であり、その血中レベルは動脈硬化性疾患の発症予知に有用な指針となることが知られている。
【０００３】
従来のＨＤＬ−Ｃの定量法は、大きく分けて分画操作と定量操作の２段階からなる。分画操作法としては超遠心分離法、免役化学的方法、電気泳動法、沈殿法などが知られており、一般的には沈殿法が広く用いられている。この方法では、検体に沈殿剤を加えて高比重リポ蛋白（ＨＤＬ）以外のリポ蛋白を凝集させ、これを遠心分離によって取り除き、分離されたＨＤＬのみを含む上清中のコレステロールを測定する。しかし、この方法は、沈殿剤を添加して分離する操作を含むために、比較的多量の検体を要すること、遠心分離機等の設備が必要であること、更に人為的操作による誤差を含みやすいこと、等の欠点がある。
【０００４】
近年、これらの煩雑な操作が不要で、自動分析装置において使用可能なダイレクト法が急速に普及してきた。例えば、特許文献１には、凝集剤として硫酸化シクロデキストリンを用いて、ＨＤＬ以外のリポ蛋白を十分に反応させた後、ポリエチレングリコールで修飾した酵素を作用させて、ＨＤＬ中のコレステロールを特異的に測定する方法が開示されている。特許文献２には、ＨＤＬ以外のリポ蛋白に対して反応阻害性の界面活性剤と、ＨＤＬを特異的に溶解する界面活性剤を使用する方法が開示されている。特許文献３には、第一工程でＨＤＬ以外のリポ蛋白をカタラーゼで消去し、第二工程でＨＤＬに特異的に作用する活性剤を用いてＨＤＬを測定する方法が開示されている。更に特許文献４には、初めにＨＤＬ以外のリポ蛋白に対する抗体を作用させ、次いでＨＤＬの溶解を行い、コレステロールを検出する方法が開示されている。
【０００５】
しかしながら、共存するＨＤＬ以外のリポ蛋白からの反応を抑えるため、シクロデキストリンを修飾したり、酵素や抗体など価格の高い試薬類を用いる必要があった。
【０００６】
乾式分析素子を用いるドライケミストリーの分野においても沈殿法が主流だったが、近年ダイレクト法を利用したドライ式の新しい試験片が開発され、特許文献５に開示されている。しかし、この試験片においてはフェニルエーテル系の界面活性剤を用いており、これらの界面活性剤は分解反応で環境懸念物質であるアルキルフェニルエーテルが生成する問題がある。更に、試験片の製造には多段階の工程を経る必要があり、コスト的にも問題が残る。
【特許文献１】特開平８−１３１１９７号公報
【特許文献２】特開平１１−５６３９５号公報
【特許文献３】ＷＯ９８／２６０９０号公報
【特許文献４】特開平９−９６６３７号公報
【特許文献５】特開２００２−１４２７９９号公報
【発明の開示】
【発明が解決しようとする課題】
【０００７】
本発明は、安価なかつ安全性の高い材料を用いて、ＨＤＬ以外のリポ蛋白の反応を阻害し、短時間にコレステロール濃度を測定するために使用する乾式分析素子を開発することを課題とする。
【課題を解決するための手段】
【０００８】
本発明者等は、上記課題を解決すべく鋭意研究の結果、コレステロールを検出する試薬系（酵素及び発色剤）に、リン酸化糖化合物を共存させることによりＨＤＬ中のコレステロールのみを効率よく選択的に測定できることを見いだし、本発明を完成させた。即ち、本発明の課題は、コレステロール測定用酵素及びリン酸化糖化合物を含有する乾式分析素子により達成された。
【発明の効果】
【０００９】
本発明の乾式分析素子により、検体中のＨＤＬ−Ｃを簡便迅速に定量でき、特に多量の検体の迅速な測定が求められる臨床検査分野において大きな効果を発揮する。
【発明を実施するための最良の形態】
【００１０】
乾式分析素子の種々の形態については数多くの特許公報その他文献により当業者に公知であり、詳細な説明は省略する。本発明においては、基本的な形態を持っていれば、即ち、水不透過性透明支持体上に、水溶性高分子化合物、例えばＰＶＡ、ＰＶＰ、ＰＡＡ、あるいはゼラチン等からなる少なくとも一層の水浸透性層、及び液体を水平方向に均一に展開する展開層がこの順に設けられていればよく、本発明で使用する、以下に説明する試薬類は、水不透過性透明支持体以外の任意の層内に含有させることができる。
【００１１】
本発明におけるリン酸化糖化合物とは、一般的には、ペントース骨格にリン酸が結合している単糖類又は多糖類の物質であり、下記一般式で表される。この化合物の使用量は０．０１〜１ｇ／ｍ2である。
【００１２】
【化１】
2005257307.tif 000002
【００１３】
ここで、Ｒ１はＨ又はプリン又はピリミジン骨格を有する官能基であり、プリン又はピリミジン骨格にはアミノ基、水酸基もしくはメチル基等が結合してもよい。Ｒ２及びＲ３はＨ又はＯＨ、Ｒ４は（（ＰＯ４）Ｒ５）ｍ、ｍ＝１〜３の整数、Ｒ５はＨ又はナトリウム、カリウム、リチウム等の一価の金属塩である。ｎはポリマー単位の数であり、本発明の目的に反しない範囲で、任意に選択することができるが、例えば塩基ベースで１〜１０００Ｋベース程度である。このような化合物としては、リボース−５−リン酸、アデノシンモノリン酸、アデノシン２リン酸、アデノシン３リン酸、イノシン酸、イノシン２リン酸及びイノシン３リン酸等が挙げられる。また、これらは糖骨格にリン酸が結合したユニットが重合した化合物であってもよく、具体的にはデオキシリボ核酸が挙げられる。このデオキシリボ核酸は、由来や長さは問わない。例えばデオキシリボ核酸を、０．０１〜２．５ｍｇ／ｍ2、好ましくは０．０２５〜１ｍｇ／ｍ2、より好ましくは０．０５〜０．５ｍｇ／ｍ2の範囲で使用できる。
【００１４】
酵素としては、一般的にコレステロールを測定する為に使用される酵素であればよく、由来等の制限はない。具体的には、コレステロールエステラーゼ（EC3.1.1.13）、コレステロールオキシダーゼ（EC3.1.1.6）及びペルオキシダーゼ（EC1.11.1.7）が挙げられる。単位面積当たりのこれらの使用量は、下記のとおりであり、測定は２５〜４５℃で実施する。
コレステロールエステラーゼ：  ０．１〜１０Ｕ／ｍ2
コレステロールオキシダーゼ：  ０．０１〜１Ｕ／ｍ2
ペルオキシダーゼ：            ２〜２００Ｕ／ｍ2
【００１５】
上記のリン酸化糖化合物と酵素は、基本的にはどの層に添加してもかまわない。しかしながら、リン酸化糖化合物を上層、例えば展開層に、酵素を下層（水浸透性層に含有させるのが好ましい。その理由は、展開層（上層）で、十分ＨＤＬ以外のリポ蛋白が、りん酸化糖化合物による抱合を受けてから、下層の酵素と出会えば、酵素反応を受けにくく、結果として、ＨＤＬのみが反応する為、これらを分けたほうが、反応を効率化できると考えられるからである。）
【００１６】
本発明の乾式分析素子には、上記以外の試薬等を含有させることができる。例えば、ＨＤＬコレステロールの量を色素濃度に変換する場合の発色系としては、ペルオキシダーゼの存在下、Ｈ2Ｏ2の酸化作用により４−アミノアンチピリンと縮合して発色するトリンダー試薬（例えばＡＤＡＰＳ、ＡＬＰＳ、ＤＡＰＳ、ＨＡＤＡＰＳ、ＭＡＰＳ、ＴＯＰＳ、ＡＤＯＳ、ＡＬＯＳ、ＤＡＯＳ、ＨＤＡＯＳ等）、ペルオキシダーゼの存在下、Ｈ2Ｏ2により発色するロイコ色素（例えばＤＡＢ、ＨＰＰＡ、ＴＭＢＺ、ＤＡ−６７、ＤＡ６４等）などを使用できる。酸化的縮合による発色試薬としては４−アミノアンチピリン（和光純薬）、Ｎ−エチル−Ｎ−（２−ヒドロキシ−３−スルホプロピル）−３，５−ジメトキシアニリン（同仁化学研究所）等が挙げられる。これらの使用量は０．１〜１０ｇ／ｍ2の範囲が好ましい。
【００１７】
界面活性剤も使用することができる。測定対象成分（コレステロール）の反応を促進させる効果のあるもののうち、環境汚染の懸念がない、非エンドクリン化合物が好ましい。この様な界面活性剤としては、ノニオン系界面活性剤、特にポリオキシエチレンアルキルエーテル誘導体が好ましい。具体的には、ポリオキシエチレンセチルエーテル、ポリオキシエチレンラウリルエーテル等が挙げられる。これらは、単独で用いても、適宜混合して用いてもよい。
【００１８】
本発明の乾式分析素子に対しては、血液、尿などのＨＤＬを含有する体液を試料として適用できる。以下実施例等により本発明を更に詳細に説明するが、本発明の技術的範囲はこれら実施例に限定されるものではない。
【実施例１】
【００１９】
実施例１用に、以下の通り、ＤＮＡを用いた乾式分析素子を作成した。ゼラチン下塗りされている１８０μｍのポリエチレンテレフタレ−ト無色透明平滑フィルムにＰＶＡ（ポリビニルアルコール）水溶液を、乾燥後の厚さが１４μｍになるように塗布し、乾燥した。次に上記フィルム上に約３０ｇ／ｍ2の供給量で水を全面に供給して湿潤させた後、５０デニール相当のポリエチレンテレフタレート紡績糸を３６ゲージ編みしたトリコット編み物布地を軽く圧力をかけて積層し、乾燥させた。上記の布地上に、乾燥後に下記組成となる水溶液（ｐＨ＝７．０）を塗布し乾燥した。
【００２０】
ＰＩＰＥＳ緩衝液  ｐＨ７．０                          １．９ｇ／ｍ2
コレステロールエステラーゼ                            ６．４Ｕ／ｍ2
コレステロールオキシダーゼ                            ０．５Ｕ／ｍ2
ペルオキシダーゼ                                    １２．８Ｕ／ｍ2
４−アミノアンチピリン                                １．０ｇ／ｍ2
ＤＡＯＳ                                              １．０ｇ／ｍ2
ポリオキシエチレンモノラウリルエーテル                ０．１ｇ／ｍ2
デオキシリボ核酸（サケ精巣由来、和光純薬製品）        ０．１ｇ／ｍ2
塩化マグネシウム                                      ７．７ｇ／ｍ2
ＰＩＰＥＳ：ピペラジン−１，４−ビス（２−エタンスルホン酸）
ＤＡＯＳ：N-エチル-N-(2-ヒドロキシ-3-スルホプロピル)-3,5-ジメトキシアニリン,ナトリウム塩
【００２１】
コレステロール濃度１００ｍｇ／ｄＬのＨＤＬ、ＬＤＬの精製した試料及び、７％ＨＳＡ水溶液を、上記方法により製造した分析素子に１０μＬ点着し、３７℃でインキュベートしながら、６００ｎｍにおけるタイムコースを測定した。結果を図１に示す。
【００２２】
図１から明らかなように、本発明の乾式分析素子を用いると、ＨＤＬはおよそ５分で完全に発色するが、ＬＤＬのＯＤは実質的に変化しない。これにより、ＨＤＬのみを特異的に定量できる。
【比較例１】
【００２３】
トリコット編み物布地に塗布し乾燥する試薬液の組成を下記に変えた以外は、実施例１と同様にして、比較例１の乾式分析素子を作成した。
【００２４】
ＰＩＰＥＳ緩衝液  ｐＨ７．０                          １．９ｇ／ｍ2
コレステロールエステラーゼ                            ６．４Ｕ／ｍ2
コレステロールオキシダーゼ                            ０．５Ｕ／ｍ2
ペルオキシダーゼ                                    １２．８Ｕ／ｍ2
４−アミノアンチピリン                                １．０ｇ／ｍ2
ＤＡＯＳ                                              １．０ｇ／ｍ2
ポリオキシエチレンモノラウリルエーテル                ０．１ｇ／ｍ2
【００２５】
コレステロール濃度１００ｍｇ／ｄＬのＨＤＬ、ＬＤＬの精製した試料及び、７％ＨＳＡ水溶液を、上記方法にて製造した分析素子に１０μＬ点着し、３７℃でインキュベートしながら、６００ｎｍにおけるＯＤタイムコースを測定した。結果を図２に示す。
【００２６】
図２に示すように、上記方法で製造した乾式分析素子の場合には、ＨＤＬに対する特異性が低く、ＬＤＬからの反応による発色も観察される。
【産業上の利用可能性】
【００２７】
本発明の方法により、煩雑な前処理を必要としないで、検体中のＨＤＬコレステロールの量を、定量的に測定できる。
【図面の簡単な説明】
【００２８】
【図１】本発明の乾式分析素子を用いた場合の光学濃度測定のタイムコースを示す。
【図２】比較の乾式分析素子を用いた場合の光学濃度測定のタイムコースを示す。
【図１】
2005257307.tif 000003
【図２】
2005257307.tif 000004